(57)【要約】【課題】給湯機を使用していないときにリモコンへの給電電圧が降圧している状態でスイッチ操作を行っても、リモコン表示部のバックライトを点灯させることができる貯湯式給湯機を提供すること。【解決手段】給湯機リモコン１の表示部３のバックライト４が消灯した状態からスイッチ操作をして前記バックライト４を点灯させるときは、前記給湯機リモコン１から前記給湯機本体へスイッチ操作ありの信号を送信し、前記給湯機本体はスイッチ操作ありの信号を受信すると出力電圧を通常電圧まで戻し、かつ、スイッチ操作をしてから所定時間経過後に前記バックライト４を点灯させる構成とする。【選択図】図２
2013053826.tif 000002
【特許請求の範囲】
【請求項１】
給湯機本体からカランやシャワーへ給湯する給湯温度の設定や風呂への自動湯張り運転のＯＮ／ＯＦＦや様々な給湯に関する情報表示の切り替えなどを行う操作部と、給湯温度や給湯機の運転状態や各種情報を表示する表示部と、前記表示部を明るくして視認性を良くするためのバックライトと、からなる給湯機リモコンと、
湯水を貯湯するタンクと、給湯温度の制御や風呂への自動湯張り運転を制御する制御部と、前記制御部と前記給湯機リモコンに一定電圧を給電する電源部と、前記電源部の出力電圧を給湯動作を行っていないときは一定電圧だけ降圧する電源制御部と、からなる給湯機本体と、
前記給湯機リモコンと前記給湯機本体は有線で接続され、前記給湯機本体から前記給湯機リモコンに給電されるとともに、データ通信を行う貯湯式給湯機において、
前記バックライトが消灯した状態からスイッチ操作をして前記バックライトを点灯させるときは、前記給湯機リモコンから前記給湯機本体へスイッチ操作ありの信号を送信し、前記給湯機本体はスイッチ操作ありの信号を受信すると出力電圧を通常電圧まで戻し、かつ、スイッチ操作してから所定時間経過後にバックライトを点灯させる構成としたことを特徴とする貯湯式給湯機。
【請求項２】
給湯機リモコンのバックライトはＬＥＤを複数個直列に配置した構成としたことを特徴とする請求項１に記載の貯湯式給湯機。
【発明の詳細な説明】
【技術分野】
【０００１】
本発明はカランやシャワーからの給湯や、風呂湯張り、風呂保温運転などを行う貯湯式給湯機のリモコンの表示に関するものである。
【背景技術】
【０００２】
従来、この種の貯湯式給湯機のリモコンの表示部は、給湯機自身の高機能化によりリモコンでの表示項目が増えてきている。また、近年の省エネ志向の高まりにより省エネに関する情報を様々表示するようにもなって来た。
【０００３】
このため、表示部は大型のドット表示素子を備えて、表示内容の充実が図られている。そして、表示部の視認性をより良くするために、表示素子を明るくするためのＬＥＤを配置したバックライト部を備え、給湯機を使用しているときはバックライト部を点灯して見やすくし、給湯機を使用していないときは消費電力削減の目的で消灯させておくのが一般的である。さらには、省エネ性の観点から人検出手段を使って給湯機リモコンの近くに人が居る時はバックライト部を点灯し、人が居ない時はバックライト部を消灯するといった給湯機リモコンもある。（例えば、特許文献１参照）
そして、給湯機は毎日使うもので、しかも家族構成によっては、給湯機を使用する時間帯も様々であることから、給湯機自身の電源をＯＮ／ＯＦＦせず常時ＯＮしているのが一般的であるため、カランやシャワーからの給湯や、風呂湯張り、風呂保温運転などの給湯機としての動作を行っていない待機時は、制御電源の出力電圧を降圧して消費電力の削減をする機能をもった給湯機もある。
【先行技術文献】
【特許文献】
【０００４】
【特許文献１】特開平１１−２９４８４６号公報
【発明の概要】
【発明が解決しようとする課題】
【０００５】
しかしながら、大型表示素子を備えた表示部を持つ給湯機リモコンではＬＥＤを複数個直列接続してバックライト部を構成するのが一般的である。そして、待機時に給湯機本体が制御電源の出力電圧を降圧し、給湯機リモコンへの給電電圧を一定電圧だけ降圧していた場合、ＬＥＤを点灯させるのに必要な給電電圧（ＬＥＤの順方向電圧×ＬＥＤの個数）が確保されず、バックライトを点灯させることができず、使用者が給湯機リモコンを操作したときにバックライトが点灯しないといった課題があった。
【０００６】
また、給湯機リモコン側に給湯機本体から給電されている電圧を検出する回路を追加する方法も考えられるが、コストアップになってしまうという課題があった。
【課題を解決するための手段】
【０００７】
前記従来の課題を解決するために本発明の貯湯式給湯機は、給湯機本体からカランやシャワーへ給湯する給湯温度の設定や風呂への自動湯張り運転のＯＮ／ＯＦＦや様々な給湯に関する情報表示の切り替えなどを行う操作部と、給湯温度や給湯機の運転状態や各種情報を表示する表示部と、前記表示部を明るくして視認性を良くするためのバックライトと、からなる給湯機リモコンと、湯水を貯湯するタンクと、給湯温度の制御や風呂への自動湯張り運転を制御する制御部と、前記制御部と前記給湯機リモコンに一定電圧を給電する電源部と、前記電源部の出力電圧を給湯動作を行っていないときは一定電圧だけ降圧する電源制御部と、からなる給湯機本体と、前記給湯機リモコンと前記給湯機本体は有線で接
続され、前記給湯機本体から前記給湯機リモコンに給電されるとともに、データ通信を行う貯湯式給湯機において、前記バックライトが消灯した状態からスイッチ操作をして前記バックライトを点灯させるときは、前記給湯機リモコンから前記給湯機本体へスイッチ操作ありの信号を送信し、前記給湯機本体はスイッチ操作ありの信号を受信すると出力電圧を通常電圧まで戻し、かつ、スイッチ操作してから所定時間経過後にバックライトを点灯させるようにしたものである。
【０００８】
これにより、待機時の低電圧状態では点灯しないバックライトでも、バックライト消灯時で給湯器本体の出力電圧が一定電圧だけ降圧されているときに、スイッチ操作をしたら、給湯機本体が出力電圧を通常電圧まで戻し、所定時間経過後にバックライトを点灯させるので、給湯機リモコンへの給電電圧は通常電圧に戻っており、電圧不足でバックライトが点灯しなかったり、バックライトがちらつくこともなく、表示品位を損なうこともなく、かつ、使用していないときの消費電力を低減でき、使い勝手の良い貯湯式給湯機を提供することができる。
【発明の効果】
【０００９】
本発明の貯湯式給湯機は、大型表示素子を備えた表示部を持つ給湯機リモコンでＬＥＤを複数個直列接続してバックライトを構成している場合でも、バックライト消灯時で給湯器本体の出力電圧が一定電圧だけ降圧されているときに、スイッチ操作をしたら、給湯機本体が出力電圧を通常電圧まで戻し、所定時間経過後にバックライトを点灯させるので、給湯機リモコンへの給電電圧は通常電圧に戻っており、電圧不足でバックライトが点灯しなかったり、バックライトがちらつくこともなく、使用していないときの消費電力を低減すると共に品位の安定した見やすい貯湯式給湯機を提供することができる。
【００１０】
また、本発明の貯湯式給湯機は、給湯機リモコン側に給湯機本体から給電されている電圧を検出する回路を追加する必要もないので、コストアップすることなく、使用していないときの消費電力を低減すると共に品位の安定した見やすい貯湯式給湯機を提供することができる。
【図面の簡単な説明】
【００１１】
【図１】本発明の実施の形態１における貯湯式給湯機のブロック図
【図２】同給湯機リモコンのバックライト制御動作のフローチャート図
【発明を実施するための形態】
【００１２】
第１の発明は、給湯機本体からカランやシャワーへ給湯する給湯温度の設定や風呂への自動湯張り運転のＯＮ／ＯＦＦや様々な給湯に関する情報表示の切り替えなどを行う操作部と、給湯温度や給湯機の運転状態や各種情報を表示する表示部と、前記表示部を明るくして視認性を良くするためのバックライトと、からなる給湯機リモコンと、湯水を貯湯するタンクと、給湯温度の制御や風呂への自動湯張り運転を制御する制御部と、前記制御部と前記給湯機リモコンに一定電圧を給電する電源部と、前記電源部の出力電圧を給湯動作を行っていないときは一定電圧だけ降圧する電源制御部と、からなる給湯機本体と、前記給湯機リモコンと前記給湯機本体は有線で接続され、前記給湯機本体から前記給湯機リモコンに給電されるとともに、データ通信を行う貯湯式給湯機において、前記バックライトが消灯した状態からスイッチ操作をして前記バックライトを点灯させるときは、前記給湯機リモコンから前記給湯機本体へスイッチ操作ありの信号を送信し、前記給湯機本体はスイッチ操作ありの信号を受信すると出力電圧を通常電圧まで戻し、かつ、スイッチ操作してから所定時間経過後にバックライトを点灯するようにしたものである。
【００１３】
これにより、待機時の低電圧状態では点灯しないバックライトでも、バックライト消灯時で給湯器本体の出力電圧が一定電圧だけ降圧されているときに、スイッチ操作をしたら
、給湯機本体が出力電圧を通常電圧まで戻し、所定時間経過後にバックライトを点灯させるので、給湯機リモコンへの給電電圧は通常電圧に戻っており、電圧不足でバックライトが点灯しなかったり、バックライトがちらつくこともなく、表示品位を損なうこともなく、かつ、使用していないときの消費電力を低減でき、使い勝手の良い貯湯式給湯機を提供することができる。
【００１４】
また、本発明の貯湯式給湯機は、給湯機リモコン側に給湯機本体から給電されている電圧を検出する回路を追加する必要もないので、コストアップすることなく、使用していないときの消費電力を低減すると共に品位の安定した見やすい貯湯式給湯機を提供することができる。
【００１５】
第２の発明は、特に、第１の発明の給湯機リモコンのバックライトはＬＥＤを複数個直列に配置した構成としたものであり、大型表示素子を備えた表示部を持つ給湯機リモコンでＬＥＤを複数個直列接続してバックライトを構成している場合でも、バックライト消灯時で給湯器本体の出力電圧が一定電圧だけ降圧されているときに、スイッチ操作をしてバックライトを点灯させる際に、電圧不足でバックライトが点灯しなかったり、バックライトがちらつくこともなく、表示品位を損なうこともなく、かつ、使用していないときの消費電力を低減でき、使い勝手の良い貯湯式給湯機を提供することができる。
【００１６】
以下、本発明の実施の形態について、図面を参照しながら説明する。なお、この実施の形態によって本発明が限定されるものではない。
【００１７】
（実施の形態１）
図１は本発明の実施の形態１における貯湯式給湯機のブロック図を示すものである。本実施の形態では、貯湯式ヒートポンプ給湯機を有線で遠隔操作する給湯機リモコンとして実施例を説明する。
【００１８】
図１において、給湯機リモコン１は、カランやシャワーへ給湯する給湯温度の設定や風呂への自動湯張り運転のＯＮ／ＯＦＦや様々な給湯に関する情報表示の切り替えなどを行う操作部２と、給湯温度や給湯機の運転状態や省エネや使い方に関するナビゲーションなど各種情報を表示する表示部３を備えている。また、表示部３の背後には、表示部３を明るくして視認性を良くするために、ＬＥＤを複数個直列に配置したバックライト４を備えており、カランやシャワーで給湯を使用したり、風呂湯張りなどの風呂運転をしたり、給湯温度を変更するなど給湯機リモコン１を操作したりしているときは、バックライト４を点灯してユーザが表示内容を見やすくし、給湯運転をしていないときや給湯機リモコンを操作していないときはバックライト４を消灯して消費電力を抑えて省エネ性を高める。
【００１９】
給湯機本体は、湯水を貯湯するタンク５と、給湯温度の制御や風呂への自動湯張り運転など給湯運転やタンク５に湯を貯めるための沸き上げ運転を制御する制御部６を備えており、さらに、制御部６には、制御部６と給湯機リモコン１に一定電圧を給電する電源部７と、給湯運転や沸き上げ運転や給湯機リモコンを操作していないときに電源部７の出力電圧を一定電圧だけ降圧する電源制御部８を備えている。
【００２０】
そして、制御部６はカランやシャワーへ給湯する給湯温度制御や風呂への自動湯張り運転制御などの給湯動作を行っていないときに、電源制御部８で電源部７の出力電圧を一定電圧だけ降圧することで、消費電力を抑えて省エネ性を高める。
【００２１】
なお、給湯機本体の制御部６と給湯機リモコン１を接続する有線ケーブル９は、制御部６から給湯機リモコン１に給電するとともに、制御部６と給湯機リモコン１の間で必要な情報の通信を行っている。
【００２２】
図２は本発明の実施の形態１における給湯機リモコン１のバックライト制御動作のフローチャート図である。
【００２３】
以上のように構成された給湯機リモコン１の表示モードの切り替えについて、以下その動作、作用を図１、図２を用いて説明する。
【００２４】
表示部３は通常、図１のような表示をしており、操作部２にあるアップスイッチや、ダウンスイッチにより給湯温度を切り替えたり、お知らせスイッチを操作すると、給湯使用量や給湯機の貯湯タンクに残っているお湯の量（使用可能湯量）や過去の省エネ度、おすすめの沸き上げモードなど、様々な情報を表示する。このとき、表示部３をより見やすくするためにバックライト４が点灯している。また、カランやシャワーから給湯している場合や、風呂への自動湯張り運転している場合なども、給湯温度や風呂自動運転の状態をユーザが容易に確認できるようにバックライト４を点灯している。
【００２５】
そして、ユーザが給湯機リモコン１を使用していないときはバックライト４を消灯して消費電力を抑え省エネ性を高めている。また、給湯機リモコン１の制御部（図示せず）は、有線ケーブル９を介して給湯機本体の制御部６に対してバックライト４を消灯したことを通信データで電送する。
【００２６】
さらに、制御部６はカランやシャワーへ給湯する給湯温度制御や風呂への自動湯張り運転制御などの給湯動作を行っていなく、給湯機リモコン１のバックライト４も消灯しているときに電源制御部８で電源部７の出力電圧を一定電圧だけ降圧する（例えばＤＣ１２ＶからＤＣ９Ｖへ降圧する）ことで、消費電力をさらに抑えて省エネ性を高めることができる。
【００２７】
ここで、図２のフローチャート図をもとに給湯機リモコン１の操作部２のスイッチを操作したときのバックライト４の点灯タイミング方法の説明を行う。
【００２８】
操作部２のいずれかのスイッチを押すと（２１）、給湯機リモコン１の制御部（図示せず）は、有線ケーブル９を介して給湯機本体の制御部６へと信号を電送する（２２）。そして、スイッチ操作から一定時間（例えば１秒）を計測するタイマーがカウントを開始する（２３）。
【００２９】
また、給湯機本体の制御部６は給湯機リモコン１からスイッチ操作の通信データを受け取ると（３１）、電源制御部８に対して電源部７の出力電圧を一定電圧だけ降圧していた状態から通常動作の電圧へ（例えばＤＣ９ＶからＤＣ１２Ｖへ）と復活させる（３２）。
【００３０】
給湯機リモコン１の制御部（図示せず）は一定時間を計測するタイマーがカウントアップするとバックライト４を点灯させる（２４）。そして、このタイミングでは、給湯機リモコン１への給電電圧は通常電圧（ＤＣ１２Ｖ）に戻っているのでバックライト４はちらつきなどもなく正常に点灯する。
【００３１】
以上のように、バックライトを消灯した状態で、リモコンに給電している電圧を下げている場合でも、スイッチ操作のあと、本体側電源の電圧を通常電圧に戻し、一定時間経過後にバックライトを点灯させるので、バックライトが点灯しなかったり、ちらついたりといったこともなく、品位の良い給湯機リモコンを提供できる。また、給電電圧を測定するための回路を追加することも無いのでコストアップすることも無く使い勝手や品位の良い給湯機リモコンを提供できる。
【産業上の利用可能性】
【００３２】
以上のように、本発明にかかる貯湯式給湯機は、スイッチ操作をしてバックライトを点灯させるときはリモコンから給湯機本体へスイッチ操作ありの信号を送信し、給湯機本体はスイッチ操作ありの信号を受信すると出力電圧を通常電圧まで戻し、かつ、スイッチ操作してから所定時間経過後にバックライトを点灯させるので、給湯機リモコン側に給湯機本体から給電されている電圧を検出する回路を追加することもなく、使用していないときの消費電力を低減すると共に表示品位の安定した見やすく使い勝手が良いので、電気温水器やヒートポンプ式給湯機、などの貯湯式給湯機の用途に適用できる。
【符号の説明】
【００３３】
１  給湯機リモコン
２  操作部
３  表示部
４  バックライト
５  タンク
６  制御部
７  電源部
８  電源制御部
９  有線ケーブル
【図１】
2013053826.tif 000003
【図２】
2013053826.tif 000004